(57)【要約】  本発明の一態様は、支持基材と、支持基材の上に設けられ、複数の電極部を有するセンサ部と、支持基材から外方に延出する延出部と、延出部の第１の主面に沿って設けられ、電極部と導通する引き出し配線と、延出部の第１の主面に沿って引き出し配線と並んで設けられた接地用配線と、延出部の第１の主面と対向する第２の主面における先端から支持基材側の一部に設けられた補強板と、を備え、延出部の第２の主面の法線方向にみた場合、接地用配線の線幅は、引き出し配線の線幅よりも太く、補強板の支持基材側端部が作る端部投影線は非直線であり、端部投影線における最も支持基材側となる最突出位置は接地用配線と重なる入力装置は、補強板が設けられた延出部を湾曲させた場合でも延出部に設けられた引き出し配線へのダメージを抑制できる。
2019102833.tif 000002
【特許請求の範囲】
【請求項１】
支持基材と、
前記支持基材の上に設けられ、複数の電極部を有するセンサ部と、
前記支持基材から外方に延出する延出部と、
前記延出部の第１の主面に沿って設けられ、前記電極部と導通する引き出し配線と、
前記延出部の前記第１の主面に沿って前記引き出し配線と並んで設けられた接地用配線と、
前記延出部の前記第１の主面に対向する第２の主面における先端から前記支持基材側の一部領域に設けられた補強板と、
を備え、
前記延出部の前記第２の主面の法線方向にみた場合、
前記接地用配線の線幅は、前記引き出し配線の線幅よりも太く、
前記補強板の前記支持基材側の端部が作る端部投影線は非直線であり、
前記端部投影線における最も前記支持基材側となる最突出位置は前記接地用配線と重なる入力装置。
【請求項２】
前記端部投影線は、
少なくとも前記引き出し配線と重なる第１部分と、
前記接地用配線と重なり前記最突出位置を有する第２部分と、
前記接地用配線と重なる部分を有し前記第１部分と前記第２部分との間に設けられた第３部分と、を有する、請求項１記載の入力装置。
【請求項３】
前記第３部分は、前記接地用配線と重なる部分からなる、請求項２記載の入力装置。
【請求項４】
前記第１部分、前記第２部分および前記第３部分の少なくとも一つは直線である、請求項２または３記載の入力装置。
【請求項５】
前記第３部分は、前記端部投影線が前記支持基材側から前記先端側に向けて後退する部分であって前記第１部分と前記第２部分とを屈曲部なく接続する、請求項２から４のいずれか１項に記載の入力装置。
【請求項６】
前記第１部分と前記第２部分との間、および前記第２部分と前記第３部分との間は曲線によって接続される、請求項２から５のいずれか１項に記載の入力装置。
【請求項７】
前記第１部分は、前記端部投影線が直線または前記支持基材側から前記先端側に向けて後退する部分であり、前記第２部分は、前記端部投影線が直線または前記先端側から前記支持基材側に向けて突出する部分である、請求項２から６のいずれか１項に記載の入力装置。
【請求項８】
前記引き出し配線および前記接地用配線は銀を含む、請求項１から７のいずれか１項に記載の入力装置。
【発明の詳細な説明】
【技術分野】
【０００１】
本発明は入力装置に関し、特に指などが接近した位置を検知するタッチセンサを備えた入力装置に関する。
【背景技術】
【０００２】
入力装置として多く利用されるタッチパネルは、検知領域に指などが接近（以下、接近には接触を含むものとする。）した位置を検出するタッチセンサを備えている。例えば、相互容量方式のタッチパネルにおいては、駆動側の電極と出力側の電極とが設けられており、駆動側の電極にドライブパルスを与え、指などの接近による容量変化を出力側の電極で検知している。【０００３】
このようなタッチパネルにおいて、検出用の電極との導通を得るためにパネル周縁部分には支持基材から外方に延出する延出部が設けられる。延出部はフレキシブル配線基板になっており、検知領域の電極と導通する引き出し配線や、接地電位となる接地用配線が形成される。また、延出部の先端には外部のコネクタと接続するための端子が設けられる。タッチパネルをセットする製品によっては、タッチパネルから延出部を湾曲させながら取り回してコネクタと接続する必要が生じる。【０００４】
延出部は比較的薄いため、コネクタとの接続を行う先端部分には補強板が取り付けられている。このような延出部を湾曲させた場合、延出部とともに曲げられる引き出し配線にクラックや断線などの不具合の発生が懸念される。【０００５】
特許文献１には、補強板を装着したフレキシブルプリント基板において、補強板の端部の形状を、幅方向中央部分を凹ませるようにした構成が開示される。特許文献２には、両面フレキシブルプリント基板の一部を屈曲させる際に屈曲開始線近傍で亀裂が入ることを防止するフレキシブルプリント基板が開示される。このフレキシブルプリント基板においては、カバーフィルムから舌状延出片を設けることで屈曲開始線の近傍における曲げ合成を高めている。【０００６】
特許文献３には、断線の発生を抑制するフレキシブル基板が開示される。このフレキシブル基板では、端子の先端位置を変えることで、フレキシブル基板に外力がかかった場合の曲げ応力を分散させる構成となっている。【０００７】
特許文献４には、フレキシブル配線板のカバーフィルムと金属層の境界部の曲げやねじりに対する強度を向上させたフレキシブル配線基板が開示される。このフレキシブル配線基板では、金属層におけるカバーフィルムから露出する境界部近傍において幅が広く形成され、その広く形成された部分の前後方向における長さが、フレキシブル配線板の中央部分では長く、左右両端側に向かって徐々に短く形成されている。
【先行技術文献】
【特許文献】
【０００８】
【特許文献１】特開平０１−１５７５８８号公報
【特許文献２】特開平０８−０１８１７４号公報
【特許文献３】特開２０１６−０５７５６７号公報
【特許文献４】特開２００５−０９３４４７号公報
【発明の開示】
【発明が解決しようとする課題】
【０００９】
タッチパネルをセットする製品は多種多様に及んでいる。製品の筐体形状に対応してタッチパネルからコネクタまで接続する延出部の取り回し条件は厳しくなってきており、延出部を小さく曲げる必要も生じている。延出部が小さく曲げられるほど湾曲による応力が引き出し配線に加わり、ダメージが与えられる。引き出し配線へのダメージは検知性能に影響を及ぼすことになる。特に延出部に補強板が設けられている場合、補強板の端部に応力が集中することから、引き出し配線へのクラック発生や断線を防止することがより重要となる。【００１０】
本発明は、補強板が設けられた延出部を湾曲させた場合でも延出部に設けられた引き出し配線へのダメージを抑制できる入力装置を提供することを目的とする。
【課題を解決するための手段】
【００１１】
上記課題を解決するため、本発明の一態様は、支持基材と、支持基材の上に設けられ、複数の電極部を有するセンサ部と、支持基材から外方に延出する延出部と、延出部の第１の主面に沿って設けられ、電極部と導通する引き出し配線と、延出部の第１の主面に沿って引き出し配線と並んで設けられた接地用配線と、延出部の第１の主面と対向する第２の主面における先端から支持基材側の一部領域に設けられた補強板と、を備え、延出部の第２の主面の法線方向にみた場合、接地用配線の線幅は、引き出し配線の線幅よりも太く、補強板の支持基材側の端部が作る端部投影線は非直線であり、端部投影線における最も支持基材側となる最突出位置は接地用配線と重なる入力装置である。【００１２】
このような構成によれば、支持基材から延出する延出部を湾曲させた場合、補強板における基材側の端部（基材側端部）における最も支持基材側となる最突出位置の近傍に応力が集中する。基材側端部が作る端部投影線は非直線であり、最突出位置が接地用配線と重なる位置に設けられていることで、延出部を湾曲させた場合の応力の集中箇所を接地用配線の上にすることができ、引き出し配線への応力集中を回避することができる。接地用配線の線幅は引き出し配線の線幅よりも太いため、接地用配線に応力が集中してもダメージは少ない。【００１３】
上記入力装置において、端部投影線は、少なくとも引き出し配線と重なる第１部分と、接地用配線と重なり最突出位置を有する第２部分と、接地用配線と重なる部分を有し第１部分と第２部分との間に設けられた第３部分と、を有していてもよい。これにより、延出部を湾曲させた場合、最突出位置を有する第２部分に応力を集中させることができる。第３部分は接地用配線と重なる部分からなることが、引出配線への応力集中をより安定的に回避する観点から好ましいことがある。【００１４】
上記入力装置において、第１部分、第２部分および第３部分の少なくとも一つは直線であってもよい。これにより、延出部を湾曲させた場合に最突出位置の近傍に応力を集中させる補強板の構成において、直線を有する形状により製造の簡素化を図ることができる。【００１５】
上記入力装置において、第３部分は、端部投影線が支持基材側から先端側に向けて後退する部分であって第１部分と第２部分とを屈曲部なく接続するよう設けられていてもよい。端部投影線に屈曲部があると、延出部を湾曲させた場合に応力がこの部分で局所的に高くなることがあるため、屈曲部を有しないようにすることにより、延出部を湾曲させた場合に第２部分の最突出位置に応力を集中させ、最突出位置から離れるに従い応力を徐々に減少させることができる。【００１６】
上記入力装置において、第１部分と第２部分との間、および第２部分と第３部分との間は曲線によって接続されていてもよい。これにより、第１部分、第２部分および第３部分の接続部分が滑らかな曲線で繋がれ、接続部分での応力集中を緩和することができる。【００１７】
上記入力装置において、第１部分は、端部投影線が直線または支持基材側から先端側に向けて後退する部分であり、第２部分は、端部投影線が直線または先端側から支持基材側に向けて突出する部分であってもよい。これにより、延出部を湾曲させた場合に最突出位置の近傍に応力を集中させる補強板の構成において、第１部分と重なる引き出し配線への応力集中を効果的に回避しつつ、第２部分と重なる延出部の幅方向端部への応力集中を効果的に回避することができる。【００１８】
上記入力装置において、引き出し配線および接地用配線は銀を含んでいてもよい。銀を含む配線パターンは湾曲によるダメージを受けやすい。上記のような補強板の構成を採用することで、銀を用いた引き出し配線および接地用配線であっても湾曲によるダメージを受け難くなる。
【発明の効果】
【００１９】
本発明によれば、補強板が設けられた延出部を湾曲させた場合でも延出部に設けられた引き出し配線へのダメージを抑制できる入力装置を提供することが可能となる。
【図面の簡単な説明】
【００２０】
【図１】（ａ）および（ｂ）は、本実施形態に係る入力装置を例示する斜視図である。
【図２】本実施形態に係る入力装置を例示する模式平面図である。
【図３】延出部の拡大模式平面図である。
【図４】延出部の湾曲状態を例示する模式断面図である。
【図５】（ａ）〜（ｃ）は、端部投影線の例を示す模式平面図である。
【図６】端部投影線の他の例を示す模式平面図である。
【図７】入力装置の適用例を示す模式図である。
【発明を実施するための最良の形態】
【００２１】
以下、本発明の実施形態を図面に基づいて説明する。なお、以下の説明では、同一の部材には同一の符号を付し、一度説明した部材については適宜その説明を省略する。【００２２】
（入力装置の構成）
図１（ａ）および（ｂ）は、本実施形態に係る入力装置を例示する斜視図である。
図１（ａ）には延出部を湾曲させる前の状態が示され、図１（ｂ）には延出部を湾曲させた後の状態が示される。
図２は、本実施形態に係る入力装置を例示する模式平面図である。
図３は、延出部の拡大模式平面図である。なお、説明の都合上、図３において、補強板３０を引き出し配線４１および接地用配線４５と重ねて示している。【００２３】
図１（ａ）および（ｂ）に示すように、本実施形態に係る入力装置１は、支持基材１５と、支持基材１５に設けられたセンサ部１０と、支持基材１５から外方に延出する延出部２０と、延出部２０の第１の主面Ｓ１に沿って設けられる引き出し配線４１および接地用配線４５と、延出部２０の第１の主面Ｓ１と対向する第２の主面Ｓ２に設けられる補強板３０とを備える。【００２４】
入力装置１は、例えばタッチパネルである。入力装置１は、液晶などの表示装置（図示せず）の上に取り付けられていてもよいし、加飾部（図示せず）の上に取り付けられていてもよい。センサ部１０は、例えば静電容量式のタッチセンサであり、検知領域ＳＡに指などが接近した場合の静電容量の変化によって位置検出を行う。センサ部１０は、成形樹脂などの支持基材１５の上に配置され、支持基材１５は、ＰＥＴ（Polyethylene Terephthalate）、ＣＯＰ（シクロオレフィンポリマー）、ＣＯＣ（環状オレフィンコポリマー）などの透光性を有する可撓性フィルム、アクリル樹脂、ポリカーボネート樹脂などの硬質の透光性板材などで形成される。支持基材１５における検知領域ＳＡには、透光性電極部である第１電極１１および第２電極１２を備える。【００２５】
第１電極１１は支持基材１５の表面に沿った一方向（例えば、Ｘ方向）に延在し、第２電極１２は支持基材１５の表面に沿い一方向と直交する方向（例えば、Ｙ方向）に延在する。第１電極１１および第２電極１２は互い絶縁される。本実施形態では、Ｙ方向に所定のピッチで複数の第１電極１１が配置され、Ｘ方向に所定のピッチで複数の第２電極１２が配置される。【００２６】
第１電極１１および第２電極１２を構成する電極のパターンは各種あるが、本実施形態では、第１電極１１および第２電極１２のそれぞれは複数の島状電極部を有する。各島状電極部は例えば菱形に近い形状を有している。第１電極１１および第２電極１２には透光性導電材料（ＩＴＯ（Indium Tin Oxide）、ＳｎＯ２、ＺｎＯ、導電性ナノ材料、網目状に形成された金属材料など）が用いられる。【００２７】
支持基材１５の検知領域ＳＡの外側である周辺エリアには、第１電極１１および第２電極１２と導通する取り回しパターン１５０が延在している。取り回しパターン１５０は引き出し配線４１と導通することで、第１電極１１および第２電極１２に対する導通線を周辺エリアから延出部２０の先端部まで延ばしている。【００２８】
延出部２０は、支持基材１５の縁部分から外方に延出して設けられる部分であり、支持基材１５と一体であっても、別体として支持基材１５に接続されていてもよい。延出部２０には、ＰＥＴ、ＣＯＰ、ＣＯＣなどの可撓性を有するフィルム材料が用いられる。【００２９】
延出部２０には、第１電極１１および第２電極１２と導通する複数の引き出し配線４１が互いに平行に設けられている。各引き出し配線４１は延出部２０の第１の主面Ｓ１に沿って支持基材１５側から先端に向けて延在している。また、延出部２０には、複数の引き出し配線４１と隣り合うように接地用配線４５が設けられる。例えば、接地用配線４５は、延出部２０の幅方向における両側にそれぞれ設けられる。接地電位となる接地用配線４５の線幅は、引き出し配線４１の線幅よりも太く設けられる。本実施形態では、引き出し配線４１および接地用配線４５は銀（Ａｇ）を含む材料によって形成される。引き出し配線４１および接地用配線４５として銀を含む材料を用いることで、ＩＴＯなどに比べて低抵抗化を図ることができる。【００３０】
補強板３０は、延出部２０の第２の主面（引き出し配線４１および接地用配線４５が設けられた第１の主面Ｓ１とは反対側の対向面）Ｓ２における先端から支持基材１５側（以下、単に「基材側」とも言う。）の一部に設けられる。補強板３０は、支持基材１５の強度を補うためのもので、ＰＥＴ、ＣＯＰ、ＣＯＣなどの可撓性フィルム、アクリル樹脂、ポリカーボネート樹脂などの硬質の板材などで形成される。例えば、本実施形態において延出部２０の厚さは約５０μｍ、補強板３０の厚さは約３００μｍである。延出部２０の先端部分に補強板３０が設けられていることにより、図１（ｂ）に示すように、延出部２０をコネクタ５０に確実に差し込むことができるようになる。【００３１】
ここで、本実施形態において、延出部２０の第２の主面Ｓ２の法線方向を第１方向Ｄ１と言うことにする。入力装置１において、補強板３０を第１方向Ｄ１にみた場合、補強板３０の支持基材１５側の端部（基材側端部）が作る端部投影線３１０は非直線となっている。すなわち、端部投影線３１０は、引き出し配線４１と重なる部分では直線的であるが、それ以外の部分に非直線部分を有しているため、全体形状として非直線である。その結果として、引き出し配線４１が設けられている延出部２０の幅方向中央部では相対的に先端側に位置し、接地用配線４５が設けられている延出部２０の幅方向端部では相対的に基材側に位置する。【００３２】
図３に示すように、端部投影線３１０における最も基材側となる最突出位置３１０Ｐは、第１方向Ｄ１にみて接地用配線４５と重なる。本実施形態では、延出部２０の幅方向における両側に接地用配線４５が設けられており、それぞれの接地用配線４５と重なるように最突出位置３１０Ｐが設けられる。【００３３】
端部投影線３１０は、少なくとも引き出し配線４１と重なる第１部分３１１と、接地用配線４５と重なり最突出位置３１０Ｐを有する第２部分３１２と、接地用配線４５と重なり第１部分３１１と第２部分３１２との間に設けられた第３部分３１３とを有する。図３に示す例では、第１部分３１１、第２部分３１２および第３部分３１３のそれぞれは直線状に設けられているが、第１部分３１１は第２部分３１２よりも先端側（基材側とは反対側）に位置し、第３部分３１３は斜めに設けられる。なお、各部分における「直線状」とは、その部分における端部投影線について、うねりがあってもそのうねりの長さが引き出し配線４１の幅よりも十分に広く、粗さに相当する細かい凹凸があっても隣り合う凸部の間隔が引き出し配線４１の幅よりも十分に狭いことをいう。【００３４】
図３に示すように、端部投影線３１０は全体として基材側から先端側に向けて後退して設けられており、先端側から最も基材側に向けた最突出位置３１０Ｐが接地用配線４５と重なるようになっている。このような端部投影線３１０を有する補強板３０を設けることで、延出部２０を湾曲させた場合、湾曲による応力を最突出位置３１０Ｐの近傍に集中させることができる。【００３５】
本実施形態では、端部投影線３１０の最突出位置３１０Ｐが接地用配線４５と重なる位置に設けられているため、延出部２０を湾曲させた場合の応力の集中箇所を接地用配線４５の上にすることができる。つまり、延出部２０を湾曲させた場合の応力を接地用配線４５の上に集中させることで、引き出し配線４１の上には集中しないようにすることができる。接地用配線４５の線幅は引き出し配線４１の線幅よりも太いため、接地用配線４５に応力が集中しても電気的特性へのダメージは少ない。【００３６】
図４は、延出部の湾曲状態を例示する模式断面図である。
補強板３０が設けられた延出部２０の先端側を湾曲させた場合、支持基材１５における補強板３０の縁の延長上を支点Ａとして支持基材１５、引き出し配線４１および接地用配線４５に応力が加わる。この際、引き出し配線４１および接地用配線４５が湾曲の外側になっていると引っ張り応力によってクラックＣが発生する可能性がある。【００３７】
本実施形態では、端部投影線３１０の最突出位置３１０Ｐを接地用配線４５と重なる位置に設けているため、延出部２０を湾曲させた場合の応力を最突出位置３１０Ｐの近傍に集中させることができる。最突出位置３１０Ｐの近傍に応力が集中して接地用配線４５にたとえクラックＣが発生したとしても、接地用配線４５の線幅は引き出し配線４１の線幅に比べて太くなっているため、多少のクラックＣが発生しても電気的特性へのダメージは少ない。したがって、延出部２０を湾曲させた際の応力の影響が線幅の細い引き出し配線４１に及ぶことを回避することができる。【００３８】
図５（ａ）〜（ｃ）は、端部投影線の例を示す模式平面図である。
図５では、端部投影線３１０の一部と引き出し配線４１および接地用配線４５との位置関係を模式的に示している。
図５（ａ）に示す端部投影線３１０は、端部投影線３１０を構成する第１部分３１１、第２部分３１２および第３部分３１３のうち、第３部分３１３の端部投影線３１０が基材側から先端側に後退した部分になっており、第１部分３１１と第２部分３１２とを屈曲部なく接続している例である。【００３９】
このような端部投影線３１０を構成することで、延出部２０を湾曲させた場合に最突出位置３１０Ｐの近傍に応力を集中させることができるとともに、最突出位置３１０Ｐから離れるに従い応力を徐々に減少させることができる。特に、最突出位置３１０Ｐよりも先端側に第１部分３１１が位置するため、第１部分３１１と重なる引き出し配線４１への応力集中を効果的に抑制することができる。第３部分３１３に屈曲部があると、この部分において応力が局所的に集中することがあるため、第３部分３１３が屈曲部を有しないことにより、最突出位置３１０Ｐの近傍に応力を集中させることがより安定的に実現される。【００４０】
図５（ｂ）に示す端部投影線３１０では、第１部分３１１と第２部分３１２との間、および第２部分３１２と第３部分３１３との間が曲線によって接続されている。第１部分３１１、第２部分３１２および第３部分３１３のほとんどは直線によって構成されているが、各部分の接続部分が滑らかな曲線によって構成される。【００４１】
端部投影線３１０において直線が多いほど補強板３０の製造が容易となる。また、第１部分３１１、第２部分３１２および第３部分３１３の接続部分を滑らかな曲線で繋ぐことで、接続部分での応力集中を緩和することができる。すなわち、各部分間の曲率が高い（曲率半径が小さい）ほど接続部分で局所的に応力が集中しやすいため、このように滑らかな曲線で構成することによって応力を分散させて、引き出し配線４１および接地用配線４５へのクラック発生を抑制することができる。また、直線状の第１部分３１１が接地用配線４５とも重なるように位置し、基材側を向く凹型の第３部分３１３はその全体が接地用配線４５と重なっている。すなわち、端部投影線３１０が非直線状となる部分を全て接地用配線４５に集中させて、端部投影線３１０が非直線状となる部分と引き出し配線４１との距離を十分に確保している。このように構成することによって、延出部２０を湾曲させた場合に引き出し配線４１において応力集中が生じる可能性を特に低くすることができる。【００４２】
図５（ｃ）に示す端部投影線３１０では、第２部分３１２が最突出位置３１０Ｐから外側に向かうほど先端側に近づくよう傾斜している。第２部分３１２がこのように傾斜していることで、延出部２０を湾曲させた場合に、第２部分３１２の最外端部３１２Ｐ（延出部２０の幅方向の外端に重なる部分）に応力が集中する可能性が安定的に低減される。最外端部３１２Ｐにおいて応力が過度に集中すると、補強板３０の延出部２０からの剥離など配線の破断とは異なるタイプの不具合が生じることが懸念される。したがって、端部投影線３１０が図５（ｃ）に示す構成を有することにより、こうした不具合の発生が生じる可能性を安定的に低減させることができる。【００４３】
図６は、端部投影線の他の例を示す模式平面図である。なお、説明の都合上、図６において、補強板３０を引き出し配線４１および接地用配線４５と重ねて示している。
図６に示す端部投影線３１０では、第１部分３１１が基材側から先端側に向けて漸次後退させた部分であり、第２部分３１２が直線または先端側から基材側に向けて突出した部分になっている。【００４４】
このような端部投影線３１０の形状によって、延出部２０を湾曲させた場合に最突出位置３１０Ｐの近傍に応力を集中させるとともに、第１部分３１１が直線で構成される場合に比べて第１部分３１１と重なる引き出し配線４１への応力集中を効果的に回避することができる。【００４５】
（適用例）
図７は、入力装置の適用例を示す模式図である。
図７には、自動車等の移動体ＶのインストルメントパネルＰおよびフロアコンソールＦに本実施形態の入力装置１を適用した例が示される。
入力装置１の検知領域ＳＡは、インストルメントパネルＰからフロアコンソールＦにかけて連続して設けられていてもよいし、インストルメントパネルＰの部分と、フロアコンソールＦの部分とに分割されていてもよい。【００４６】
例えば、インストルメントパネルＰには加飾フィルム２００の加飾層２２が設けられていない部分（非形成領域２２ｂ）があり、ここに表示装置１００が配置される。表示装置１００の上には検知領域ＳＡが設けられ、タッチパネルとして機能する。インストルメントパネルＰやフロアコンソールＦには、加飾層２２によるボタン表示部２２１が設けられていてもよい。これにより、加飾層２２のボタン表示部２２１をタッチすることで各種の操作を行うことができる。【００４７】
以上説明したように、本実施形態によれば、補強板３０が設けられた延出部２０を湾曲させた場合でも延出部２０に設けられた引き出し配線４１へのダメージを抑制できる入力装置１を提供することが可能となる。【００４８】
なお、上記に本実施形態を説明したが、本発明はこれらの例に限定されるものではない。例えば、延出部２０の幅は支持基材１５の幅よりも狭い例を示したが、支持基材１５と同等の幅であってもよい。また、延出部２０に設けられる接地用配線４５は、延出部２０の幅方向における中央部分に設けられていてもよい。この場合には第２部分３１２は延出部２０の中央部分に設けられる。また、前述の各実施形態に対して、当業者が適宜、構成要素の追加、削除、設計変更を行ったものや、各実施形態の特徴を適宜組み合わせたものも、本発明の要旨を備えている限り、本発明の範囲に包含される。
【符号の説明】
【００４９】
１…入力装置
１０…センサ部
１１…第１電極
１２…第２電極
１５…支持基材
２０…延出部
２２…加飾層
２２ｂ…非形成領域
３０…補強板
４１…引き出し配線
４５…接地用配線
５０…コネクタ
１００…表示装置
１５０…取り回しパターン
２００…加飾フィルム
２２１…ボタン表示部
３１０…端部投影線
３１０Ｐ…最突出位置
３１１…第１部分
３１２…第２部分
３１２Ｐ…最外端部
３１３…第３部分
Ａ…支点
Ｃ…クラック
Ｄ１…第１方向
Ｆ…フロアコンソール
Ｐ…インストルメントパネル
Ｓ１…第１の主面
Ｓ２…第２の主面
ＳＡ…検知領域
Ｖ…移動体
【図１】
2019102833.tif 000003
【図２】
2019102833.tif 000004
【図３】
2019102833.tif 000005
【図４】
2019102833.tif 000006
【図５】
2019102833.tif 000007
【図６】
2019102833.tif 000008
【図７】
2019102833.tif 000009
【国際調査報告】
2019102833.tif 000010
2019102833.tif 000011
2019102833.tif 000012
2019102833.tif 000013